(57)【要約】      （修正有）【課題】特殊な形状を有する物品でも綺麗に洗浄することができ、手の届きにくかった箇所には容易に洗浄部が届き、またそのような箇所を力を入れて洗浄することができ、更に資源の無駄遣いを軽減した洗浄用具を提供する。【解決手段】スポンジ状の洗浄部材４と、該洗浄部材４内部に一端が固定された弾性体状の連結軸５ｅと、該連結軸５ｅの他端を内部に固定した持ち手部３とからなることを特徴とする洗浄用具１と、上面又は上面及び底面に凹部を形成したスポンジ状の洗浄部材であることを特徴とする。【選択図】図２
0003155153.tif 000002
【実用新案登録請求の範囲】
【請求項１】
スポンジ状の洗浄部材と、前記洗浄部材内部に一端が固定された弾性体状の連結軸と、前記連結軸の他端を内部に固定した持ち手部３とからなることを特徴とする洗浄用具。
【請求項２】
前記洗浄部材に、前記持ち手の長手方向と直交する方向の側面に一面窪んだ凹部を形成した洗浄部材としたことを特徴とする請求項１に記載の洗浄用具。
【請求項３】
前記洗浄部材を、前記持ち手の長手方向に位置する上面にブラシを備えた洗浄部材、前記凹部の背面に位置する面にブラシを備えた洗浄部材、前記持ち手の長手方向に位置する前記洗浄部の上部に上ブラシ、前記洗浄部を挟み下ブラシを備えた洗浄部材、前記持ち手の長手方向に位置する前記洗浄部の上部にブラシを備えた洗浄部材と下部にブラシを備えた洗浄部材の凹部を形成しない背面同士を合わせて前記洗浄部材の背面に他のブラシが位置するように形成した洗浄部材、及び同径同大の洗浄部材を背面に備えた洗浄部材、のいずれかから選ばれる洗浄部としたことを特徴とする請求項２に記載の洗浄用具。
【請求項４】
前記持ち手の長手方向に位置する前記洗浄材の上部に前記洗浄部材から突出する長さの上ブラシ、前記洗浄部材を挟み前記洗浄部材から突出する長さの下ブラシを備えた洗浄部材としたことを特徴とする請求項２に記載の洗浄用具。
【請求項５】
前記持ち手部を、持ち手本体と、前記持ち手本体と前記洗浄部との間に内部空洞の蛇腹部を設けた持ち手部としたことを特徴とする請求項１〜請求項４の何れか１項に記載の洗浄用具。
【請求項６】
前記持ち手本体に間を設けて、第２の内部空洞の蛇腹部を設けたことを特徴とする請求項５に記載の洗浄用具。
【請求項７】
前記持ち手部を、下端に軸を介して回動可能に屈曲部５ｍを連結して折り畳み式の持ち手部３としたことを特徴とする請求項１〜請求項４のいずれか１項に記載の洗浄用具。
【請求項８】
前記持ち部に突起５ｑを設け、前記屈曲部の下端にハンガー部を他端に鈎状の固定部を設け、前記屈曲部が伸長時には前記固定部が前記突起に係止され、前記屈曲部が折り畳まれた時には前記屈曲部の隙間に持ち手本体の一部が収納され、前記持ち手部の長さが調整されることを特徴とする請求項７に記載の
洗浄用具。
【請求項９】
前記持ち手部を、持ち手本体と前記持ち手本体を内部に収納する格納部からなる持ち手部とし、前記持ち手本体と格納部をスライド式に伸縮することを特徴とする請求項１〜請求項４のいずれか１項に記載の洗浄用具。
【請求項１０】
前記持ち手本体表面部にスプリングにより上下動するストッパを１以上埋め込み、前記格納部に孔を以上設け、前記格納部のスライドにより、前記ストッパが前記孔に突出して、格納部を固定し、前記持ち手部の長さが調整されることを特徴とする請求項９に記載の
洗浄用具。
【請求項１１】
前記持ち手本体表面部に窪みを１以上設け、前記格納部内面に突起を１以上設け、前記格納部のスライドにより、前記突起が前記窪みに嵌り、格納部を固定し、前記持ち手部の長さが調整されることを特徴とする請求項９に記載の洗浄用具。
【請求項１２】
前記洗浄部の持ち手部側に、下端にネジ受け部を形成し、内部空洞の蛇腹部を有する連結部を連設するとともに、前記持ち手部の上端にネジ山を形成し、前記ネジ受け部に前記ネジ山を螺合させて洗浄部と持ち手部３を着脱可能とした請求項１〜請求項４のいずれか１項に記載の洗浄用具。
【請求項１３】
前記洗浄部を、蛇腹部を形成し下部に制御突起を設けた連結部を下部に連設した洗浄部材からなる洗浄部とし、前記持ち手部を、上端に上面が開口した中空部分を形成して、前記中空部分の下部側面に孔を穿設した持ち手本体からなる持ち手部とし、前記連結部を持ち手本体の開口部分に挿入して制御突起を孔に陥入させて洗浄部と持ち手部を着脱可能とした請求項１〜請求項４のいずれか１項にに記載の洗浄用具。
【請求項１４】
上面又は上面及び底面に凹部を形成したスポンジ状の洗浄部材であることを特徴とする洗浄用具。
【請求項１５】
前記洗浄部材の凹部を形成した面の背面の凹部を形成しない面に、スポンジより硬質の洗浄シートを貼り合わせたことを特徴とする請求項１４に記載の洗浄用具。
【請求項１６】
前記洗浄シートを、
洗浄部材より一回り大きくし、洗浄シートの洗浄部材からはみ出た部分の前記洗浄部材面が端部に向かって徐々に傾斜して先端部が薄くなった洗浄シートとしたことを特徴とする請求項１５に記載の洗浄用具。
【請求項１７】
前記凹部を、断面略四角形、略Ｖ字形又は略台形の凹部としたことを特徴とする請求項１〜請求項１６のいずれか１項に記載の洗浄用具。
【考案の詳細な説明】
【技術分野】
【０００１】
本考案は、物品の一部に特殊な形状を有しているポリタンク、タイヤ、ホイール、ペットボトル、徳利、花瓶、ビン、トイレ、哺乳瓶、水筒等を洗浄するための洗浄用具に関する。
【背景技術】
【０００２】
従来、ポリタンク、タイヤ、ホイール、ペットボトル、徳利、花瓶、ビン、トイレ、哺乳瓶、水筒等を洗浄するには市販されている手持ちタイプのスポンジや柄の付いた洗浄用具を使用していた。
【０００３】
しかしながら、従来の手持ちタイプのスポンジでは手の届かない部分を洗浄することができず、また手が届く場所であっても特殊な凹凸等がある場合は、満足に洗浄することが難しかった。
【０００４】
また、上記のような手の届かないポリタンクや花瓶、ビン、哺乳瓶、水筒等の内部については柄のついた洗浄具を使用していたが、柄の部分が直線であったり、緩やかにカーブしていても形状が固定されているために洗浄具が届かない場合が多く、届いたとしても力の入れにくい状態で届くため、やはり満足に洗浄することが難しかった。
【０００５】
また、タイヤやホイール等を洗浄する場合、柄の付いた洗浄ブラシを使用していたが、洗浄中にブラシの反対側である硬い部分がホイールに当たって傷を付けてしまうことがあり、特にガソリンスタンド等のお客様の車を洗浄する場合は綺麗に速く、傷つけずに洗浄することが難しかった。
【０００６】
また、一般的に柄の付いた洗浄用具では、先端の洗浄部分のみが劣化することが多く、柄の部分が劣化していなくても廃棄しなければならず、資源を無駄に遣っていた。
【先行技術文献】
【特許文献】
【０００７】
【特許文献１】実開昭６１−１００３５７号公報
【特許文献２】実開昭６３−１１７７９７号公報
【考案の概要】
【考案が解決しようとする課題】
【０００８】
そこで、本考案は、特殊な形状を有する物品でも綺麗に洗浄することができ、手の届きにくかった箇所には容易に洗浄部が届き、またそのような箇所を力を入れて洗浄することができ、蛇腹にすることで変形や元の状態に戻すことが容易にでき、更に資源の無駄遣いを軽減した洗浄用具を提供することを目的とするのもである。
【課題を解決するための手段】
【０００９】
本考案は、上記の課題を解決するために、スポンジ状の洗浄部材４と、前記洗浄部材４内部に一端が固定された弾性体状の連結軸５ｅと、前記連結軸の他端を内部に固定した持ち手部３とからなることを特徴とする洗浄用具１と、
前記洗浄部材４に、前記持ち手の長手方向と直交する方向の側面に一面窪んだ凹部４ａを形成した洗浄部材４としたことを特徴とする洗浄用具と、
前記洗浄部材４を、前記持ち手の長手方向に位置する上面にブラシを備えた洗浄部材、前記凹部の背面に位置する面にブラシを備えた洗浄部材、前記持ち手の長手方向に位置する前記洗浄部の上部に上ブラシ、前記洗浄部を挟み下ブラシを備えた洗浄部材、前記持ち手の長手方向に位置する前記洗浄部の上部にブラシを備えた洗浄部材と下部にブラシを備えた洗浄部材の凹部を形成しない背面同士を合わせて前記洗浄部材の背面に他のブラシが位置するように形成した洗浄部材、及び同径同大の洗浄部材を背面に備えた洗浄部材、のいずれかから選ばれる洗浄部としたことを特徴とする洗浄用具と、
前記持ち手の長手方向に位置する前記洗浄材の上部に前記洗浄部材から突出する長さの上ブラシ、前記洗浄部材を挟み前記洗浄部材から突出する長さの下ブラシを備えた洗浄部材としたことを特徴とする洗浄用具と、
前記持ち手部３を、持ち手本体と、前記持ち手本体と前記洗浄部との間に内部空洞の蛇腹部を設けた持ち手部としたことを特徴とする洗浄用具と、
前記持ち手本体に間を設けて、第２の内部空洞の蛇腹部を設けたことを特徴とする洗浄用具と、
前記持ち手部３を、下端に軸５ｎを介して回動可能に屈曲部５ｍを連結して折り畳み式の持ち手部３としたことを特徴とする洗浄用具と、
前記持ち部に突起５ｑを設け、前記屈曲部の下端にハンガー部を他端に鈎状の固定部を設け、前記屈曲部が伸長時には前記固定部が前記突起に係止され、前記屈曲部が折り畳まれた時には前記屈曲部の隙間に持ち手本体の一部が収納され、前記持ち手部３の長さが調整されることを特徴とする洗浄用具と、
前記持ち手部３を、持ち手本体５と前記持ち手本体を内部に収納する格納部５ｉからなる持ち手部とし、前記持ち手本体と格納部をスライド式に伸縮することを特徴とする洗浄用具と、
前記持ち手本体表面部にスプリングにより上下動するストッパを１以上埋め込み、前記格納部に孔を１以上設け、前記格納部のスライドにより、前記ストッパが前記孔に突出して、格納部を固定し、前記持ち手部の長さが調整されることを特徴とする洗浄用具と、
前記持ち手本体表面部に窪み５ｔを１以上設け、前記格納部内面に突起５ｕを１以上設け、前記格納部のスライドにより、前記突起が前記窪みに嵌り、格納部を固定し、前記持ち手部の長さが調整されることを特徴とする洗浄用具と、
前記洗浄部の持ち手部側に、下端にネジ受け部を形成し、内部空洞の蛇腹部６ｂを有する連結部６を連設するとともに、前記持ち手部３の上端にネジ山を形成し、前記ネジ受け部に前記ネジ山を螺合させて洗浄部２と持ち手部３を着脱可能とした洗浄用具と、
前記洗浄部２を、蛇腹部を形成し下部に制御突起を設けた連結部を下部に連設した洗浄部材からなる洗浄部とし、前記持ち手部３を、上端に上面が開口した中空部分を形成して、前記中空部分の下部側面に孔を穿設した持ち手本体からなる持ち手部とし、前記連結部を持ち手本体の開口部分に挿入して制御突起を孔に陥入させて洗浄部と持ち手部を着脱可能とした洗浄用具と、
上面又は上面及び底面に凹部を形成したスポンジ状の洗浄部材であることを特徴とする
洗浄用具と、
前記洗浄部材の凹部を形成した面の背面の凹部を形成しない面に、スポンジより硬質の洗浄シートを貼り合わせたことを特徴とする洗浄用具と、
前記洗浄シートを、洗浄部材より一回り大きくし、洗浄シートの洗浄部材からはみ出た部分の前記洗浄部材面が端部に向かって徐々に傾斜して先端部が薄くなった洗浄シートとしたことを特徴とする洗浄用具と、
前記凹部を、断面略四角形、略Ｖ字形又は略台形の凹部としたことを特徴とする洗浄用具の構成とした。
【考案の効果】
【００１０】
本考案である洗浄用具は、洗浄部の一部に凹部を設けているため、特殊な凹凸がある物品であっても綺麗に洗浄することができる。
【００１１】
また、柄の部分において自由に曲げることができる部分が２箇所あるため、物品の形状に合わせて柄の形状を変えることができ、常に力の入れやすい状態で洗浄することができる。
【００１２】
また、洗浄部の周面に硬い部分がないため、タイヤやホイール等を洗浄している最中に車体やホーイル等を傷つける心配がなく、従来以上に力を入れて洗浄することができる。
【００１３】
また、洗浄部と持ち手部である柄の部分を着脱可能としたため、劣化しやすい洗浄部のみを交換するだけでよく、劣化していない持ち手部を無駄に廃棄することがない。
【図面の簡単な説明】
【００１４】
【図１】本考案である洗浄用具の正面図である。
【図２】本考案である洗浄用具の断面図である。
【図３】本考案である洗浄用具の第２実施例の正面図である。
【図４】本考案である洗浄用具の第２実施例の断面図である。
【図５】本考案である洗浄用具の第３実施例の正面図である。
【図６】本考案である洗浄用具の第３実施例の断面図である。
【図７】本考案である洗浄用具の第４実施例の正面図である。
【図８】本考案である洗浄用具の第５実施例の正面図である。
【図９】本考案である洗浄用具の第６実施例の正面図である。
【図１０】本考案である洗浄用具の第７実施例の正面図である。
【図１１】本考案である洗浄用具の第７実施例の断面図である。
【図１２】本考案である洗浄用具の第８実施例の正面図である。
【図１３】本考案である洗浄用具の第８実施例の断面図である。
【図１４】本考案である洗浄用具の第８実施例の断面図である。
【図１５】本考案である洗浄用具の第９実施例の正面図である。
【図１６】本考案である洗浄用具の第９実施例の正面図である。
【図１７】本考案である洗浄用具の第９実施例を折り畳んだ状態を示した断面図である。
【図１８】本考案である洗浄用具の第１０実施例を示した正面図である。
【図１９】本考案である洗浄用具の第１０実施例を示した一部断面図である。
【図２０】本考案である洗浄用具の第１０実施例を示した断面図である。
【図２１】本考案である洗浄用具の第１１実施例を示した正面図である。
【図２２】本考案である洗浄用具の第１１実施例を示した断面図である。
【図２３】本考案である洗浄用具の第１２実施例を示した正面図である。
【図２４】本考案である洗浄用具の第１２実施例を示した断面図である。
【図２５】本考案である洗浄用具の第１３実施例を示した正面図である。
【図２６】本考案である洗浄用具の第１４実施例を示した正面図である。
【図２７】本考案である洗浄用具の第１５実施例を示した正面図である。
【図２８】本考案である洗浄用具の第１６実施例を示した正面図である。
【図２９】本考案である洗浄用具の第１７実施例を示した正面図である。
【考案を実施するための形態】
【００１５】
以下に、添付図面に基づいて、本考案である洗浄用具について詳細に説明する。先ず、図１から図２９を使用して柄のついた洗浄用具を説明することとする。
【実施例１】
【００１６】
図１は本考案である洗浄用具の正面図、図２は洗浄用具の断面図である。図１及び図２に示すように、本考案である洗浄用具１は、スポンジ状の洗浄部材４と、前記洗浄部材４内部に一端が固定された弾性体状の連結軸５ｅと、前記連結軸５ｅの他端を内部に固定した持ち手部３とからなる。
【００１７】
前記洗浄部材４には、持ち手の長手方向と直行する方向の側面に一面凹んだ凹部４ａが形成されている。この凹部４ａは特に限定したものではなく、一面だけに設けても周面に設けても構わない。
【００１８】
前記持ち手部３は、上端と上端から少し離れた位置に内部が中空の空洞部５ｃ、５ｄとした蛇腹部５ａ、５ｂを形成した持ち手本体５からなり、前記洗浄部材４とは連結軸５ｅを介して連結されている。また、前記連結軸５ｅは弾性体状をしており、上部及び下部に拡張部５ｆ、５ｇを形成している。
【００１９】
以上のように洗浄用具１は、持ち手部３の蛇腹部５ａ、５ｂを任意の方向に曲げて使用することができ、手の届かない様々な場所を洗浄することができる。
【実施例２】
【００２０】
図３は本考案である洗浄用具の第２実施例の正面図、図４は洗浄用具の第２実施例の断面図である。
【００２１】
図３及び図４に示すように、本考案である洗浄用具１ａは、実施例１の洗浄用具１とほぼ同じ構造をしている。
【００２２】
即ち、本考案である洗浄用具１ａは、スポンジ状の洗浄部材４と、前記洗浄部材４内部に一端が固定された弾性体状の連結軸５ｅと、前記連結軸５ｅの他端を内部に固定した持ち手部３とからなる。
【００２３】
前記洗浄部材４には、持ち手の長手方向と直行する方向の側面下部に一面凹んだ凹部４ａが形成されている。この凹部４ａは特に限定したものではなく、一面だけに設けても周面に設けても構わない。
【００２４】
前記持ち手部３は、上端と上端から少し離れた位置に内部が中空の空洞部５ｃ、５ｄとした蛇腹部５ａ、５ｂを形成した持ち手本体５からなり、前記洗浄部材４とは連結軸５ｅを介して連結されている。また、前記連結軸５ｅは弾性体状をしており、上部及び下部に拡張部５ｆ、５ｇを形成している。
【実施例３】
【００２５】
図５は本考案である洗浄用具の第３実施例の正面図、図６は洗浄用具の第３実施例の断面図である。
【００２６】
図５及び図６に示すように、本考案である洗浄用具１ｂは実施例１、２で示した洗浄用具１、１ａとほぼ同じ構造をしている。
【００２７】
即ち、本考案である洗浄用具１ｂは、スポンジ状の洗浄部材４と、前記洗浄部材４内部に一端が固定された弾性体状の連結軸５ｅと、前記連結軸５ｅの他端を内部に固定した持ち手部３とからなる。
【００２８】
前記洗浄部材４の略下半分は、上半分よりも一回り細くなるように凹部４ｂを形成している。
【００２９】
前記持ち手部３は、上端と上端から少し離れた位置に内部が中空の空洞部５ｃ、５ｄとした蛇腹部５ａ、５ｂを形成した持ち手本体５からなり、前記洗浄部材４とは連結軸５ｅを介して連結されている。また、前記連結軸５ｅは弾性体状をしており、上部及び下部に拡張部５ｆ、５ｇを形成している。
【実施例４】
【００３０】
図７は本考案である洗浄用具の第４実施例の正面図である。
【００３１】
図７に示すように、本考案である洗浄用具１ｃは、前記洗浄用具１とほぼ同じ構造をしている。即ち、洗浄用具１ｃを構成する洗浄部材４の上面にブラシ４ｃを形成したことが異なる。
【００３２】
従って、洗浄用具１ｃは、上面にブラシ４ｃを備えたスポンジ状の洗浄部材４と、前記洗浄部材４内部に一端が固定された弾性体状の連結軸５ｅと、前記連結軸５ｅの他端を内部に固定した持ち手部３とからなる。
【００３３】
前記洗浄部材４には、持ち手の長手方向と直行する方向の側面に一面凹んだ凹部４ａが形成されている。この凹部４ａは特に限定したものではなく、一面だけに設けても周面に設けても構わない。
【００３４】
また、前記持ち手部３は、上端と上端から少し離れた位置に内部が中空の空洞部５ｃ、５ｄとした蛇腹部５ａ、５ｂを形成した持ち手本体５からなり、前記洗浄部材４とは上下部に拡張部５ｆ、５ｇを形成した連結軸５ｅを介して連結されている。
【実施例５】
【００３５】
図８は本考案である洗浄用具の第５実施例の正面図である。
【００３６】
図８に示すように、本考案である洗浄用具１ｄは、前記洗浄用具１ｃとほぼ同じ構造をしている。即ち、洗浄部材４の縦方向の長さが若干短くなり、その分洗浄部材４の上面に備えたブラシ４ｃの縦方向の長さが若干長くなっている。
【００３７】
従って、洗浄用具１ｄは、上面にブラシ４ｃを備えたスポンジ状の洗浄部材４と、前記洗浄部材４内部に一端が固定された弾性体状の連結軸５ｅと、前記連結軸５ｅの他端を内部に固定した持ち手部３とからなる。
【００３８】
前記洗浄部材４には、持ち手の長手方向と直行する方向の側面に一面凹んだ凹部４ａが形成されている。この凹部４ａは特に限定したものではなく、一面だけに設けても周面に設けても構わない。
【００３９】
また、前記持ち手部３は、上端と上端から少し離れた位置に内部が中空の空洞部５ｃ、５ｄとした蛇腹部５ａ、５ｂを形成した持ち手本体５からなり、前記洗浄部材４とは上下部に拡張部５ｆ、５ｇを形成した連結軸５ｅを介して連結されている。
【実施例６】
【００４０】
図９は本考案である洗浄用具の第６実施例の正面図である。
【００４１】
図９に示すように、本考案である洗浄用具１ｅは、前記洗浄用具１ｃ、１ｄとほぼ同じ構造をしている。即ち、洗浄部材４の縦方向の長さが更に短くなり、その分洗浄部材４の上面に備えたブラシ４ｃの縦方向の長さが長くなっている。
【００４２】
従って、洗浄用具１ｅは、上面にブラシ４ｃを備えたスポンジ状の洗浄部材４と、前記洗浄部材４内部に一端が固定された弾性体状の連結軸５ｅと、前記連結軸５ｅの他端を内部に固定した持ち手部３とからなる。
【００４３】
前記洗浄部材４には、持ち手の長手方向と直行する方向の側面に一面凹んだ凹部４ａが形成されている。この凹部４ａは特に限定したものではなく、一面だけに設けても周面に設けても構わない。
【００４４】
また、前記持ち手部３は、上端と上端から少し離れた位置に内部が中空の空洞部５ｃ、５ｄとした蛇腹部５ａ、５ｂを形成した持ち手本体５からなり、前記洗浄部材４とは上下部に拡張部５ｆ、５ｇを形成した連結軸５ｅを介して連結されている。
【実施例７】
【００４５】
図１０は本考案である洗浄用具の第７実施例の正面図、図１１は洗浄用具の第７実施例の断面図である。
【００４６】
図１０及び図１１に示すように、本考案である洗浄用具１ｆは、スポンジ状の洗浄部材４と、前記洗浄部材４内部に一端が固定された弾性体状の連結軸５ｅと、前記連結軸５ｅの他端を内部に固定した持ち手部３とからなる。
【００４７】
前記洗浄部材４には、持ち手の長手方向と直行する方向の側面に一面凹んだ凹部４ａが形成されている。この凹部４ａは特に限定したものではなく、一面だけに設けても周面に設けても構わない。
【００４８】
前記持ち手部３は、持ち手本体５と前記持ち手本体を内部に収納する格納部５ｉからなり、前記持ち手本体５と格納部５ｉをスライド式に伸縮することができる。
【００４９】
前記持ち手本体５の側面にはスプリング５ｋを介してストッパ５ｊが複数取り付けられており、このストッパ５ｊに対応するように格納部５ｉの側面には孔が複数穿設されている。即ち、持ち手本体５のストッパ５ｊが格納部５ｉの孔から突出して留め具となり、洗浄用具１ｆを任意の長さで使用することができる。
【実施例８】
【００５０】
図１２は本考案である洗浄用具の第８実施例の正面図、図１３は洗浄用具の第８実施例の断面図、図１４は洗浄用具の第８実施例の断面図である。
【００５１】
図１２、図１３及び図１４に示すように、本考案である洗浄用具１ｇは、スポンジ状の洗浄部材４と、前記洗浄部材４内部に一端が固定された弾性体状の連結軸５ｅと、前記連結軸５ｅの他端を内部に固定した持ち手部３とからなる。
【００５２】
前記洗浄部材４には、持ち手の長手方向と直行する方向の側面に一面凹んだ凹部４ａが形成されている。この凹部４ａは特に限定したものではなく、一面だけに設けても周面に設けても構わない。
【００５３】
前記持ち手部３は、上端と上端から少し離れた位置に内部が中空の空洞部５ｃ、５ｄとした蛇腹部５ａ、５ｂを形成し、下部に突起５ｑを備えた持ち手本体５と、前記持ち手本体５の下端に軸５ｎを介して回動可能に連結された屈曲部５ｍとからなる。
【００５４】
前記屈曲部５ｍの下端には略Ｕ字状に凹んだハンガー部５ｐが形成され、上端には鈎状の固定部５ｏが形成されている。また、図１３及び図１４に示すように、屈曲部５ｍは内部が中空で上下面及び左面が開口した隙間が設けられている。
【００５５】
以上より、前記屈曲部５ｍを回動させて伸長させたときは、前記固定部５ｏが持ち手本体５の突起５ｑに係止され、前記屈曲部５ｍが折り畳まれたときは、屈曲部５ｍの隙間に持ち手本体５の略下半分が収納されるので、持ち手部３の長さを調節することができる。
【実施例９】
【００５６】
図１５は本考案である洗浄用具の第９実施例の正面図、図１６は洗浄用具の第９実施例の正面図、図１７は洗浄用具の第９実施例を折り畳んだ状態を示した断面図である。
【００５７】
図１５、１６及び図１７に示すように、本考案である洗浄用具１ｈは、スポンジ状の洗浄部材４と、前記洗浄部材４内部に一端が固定された弾性体状の連結軸５ｅと、前記連結軸５ｅの他端を内部に固定した持ち手部３とからなる。
【００５８】
前記洗浄部材４には、持ち手の長手方向と直行する方向の側面に一面凹んだ凹部４ａが形成されている。この凹部４ａは特に限定したものではなく、一面だけに設けても周面に設けても構わない。
【００５９】
前記持ち手部３は、上端と上端から少し離れた位置に内部が中空の空洞部５ｃ、５ｄとした蛇腹部５ａ、５ｂを形成し、下部に突起５ｑを備えた持ち手本体５と、前記持ち手本体５の下端に軸５ｎを介して回動可能に連結された屈曲部５ｍとからなる。
【００６０】
前記屈曲部５ｍの上端にはスットパ５ｒが形成されており、前記ストッパ５ｒには孔５ｓが穿設されている。
【００６１】
以上より、前記屈曲部５ｍを回動させて伸長させたときは、図１５に示すように前記ストッパ５ｒの孔５ｓに突起５ｑが陥入することで係止され、反対に前記屈曲部５ｍを回動させて折り畳んだときは、図１７に示すようになり、持ち手部３の長さを調節することができる。
【実施例１０】
【００６２】
図１８は本考案である洗浄用具の第１０実施例を示した正面図、図１９は洗浄用具の第１０実施例を示した一部断面図、図２０は洗浄用具の第１０実施例を示した断面図である。
【００６３】
図１８、図１９及び図２０に示すように、本考案である洗浄用具１ｉは、スポンジ状の洗浄部材４と、前記洗浄部材４内部に一端が固定された弾性体状の連結軸５ｅと、前記連結軸５ｅの他端を内部に固定した持ち手部３とからなる。
【００６４】
前記洗浄部材４には、持ち手の長手方向と直行する方向の側面に一面凹んだ凹部４ａが形成されている。この凹部４ａは特に限定したものではなく、一面だけに設けても周面に設けても構わない。
【００６５】
前記持ち手部３は、上端と上端から少し離れた位置に内部が中空の空洞部５ｃ、５ｄとした蛇腹部５ａ、５ｂを形成し、中央から下部にかけて複数の窪み５ｔを形成した持ち手本体５と、前記持ち手本体５を内部に収納する格納部５ｉとからなる。
【００６６】
前記格納部５ｉの内壁面には複数の突起５ｕが形成されており、この突起５ｕが持ち手本体５に形成された窪み５ｔに嵌ることにより格納部５ｉを固定し、持ち手部３の長さを調節することができる。
【００６７】
尚、符号５ｖはハンガー部を示しており、格納部５ｉの下端に設けた。このハンガー部５ｖを使用して壁等に取り付けたフック等に掛けておくことができる。
【実施例１１】
【００６８】
図２１は本考案である洗浄用具の第１１実施例を示した正面図、図２２は洗浄用具の第１１実施例を示した断面図である。
【００６９】
図２１、図２２に示すように、本考案である洗浄用具１ｊは、背面側にブラシ６ｇを備えたスポンジ状の洗浄部材６ｅと、前記洗浄部材６ｅの下端に取り付けられ、中央部に蛇腹部６ｂを形成して下部にネジ受け部６ａを設けた連結部６からなる洗浄部２と、上端にネジ山７ａを形成し、ネジ山７ａとネジ受け部６ａと螺合することで連結部６と取り外し可能とした持ち手本体７からなる持ち手部３とからなる。
【００７０】
前記洗浄部材６ｅには、持ち手の長手方向と直行する方向の側面に一面凹んだ凹部６ｆが形成されている。
【００７１】
前記蛇腹部６ｂの内部は中空の空洞部６ｃであり、この蛇腹部６ｂを変形させて洗浄部６ｅ及びブラシ６ｇの角度を変えることができる。
【００７２】
尚、持ち手本体７の下端にはハンガー部７ｂを取り付けて、壁等に取り付けたフック等に掛けることができるようにした。また、持ち手本体７に上端連結部７ｇを設けて連結部６の下部を形成するテーパー部に陥入させる構造とした。但し、この上端連結部７ｇは設けなくても構わない。
【実施例１２】
【００７３】
図２３は本考案である洗浄用具の第１２実施例を示した正面図、図２４は洗浄用具の第１２実施例を示した断面図である。
【００７４】
図２３、図２４に示すように、本考案である洗浄用具１ｋは、洗浄部材８ｄを挟んで上下にブラシ８ｅ、８ｅを備えた洗浄部軸８ｂと、上部に前記洗浄部軸８ｂを連結し、中央付近に内部が中空の蛇腹部８ａを形成して下部に制御突起８ｃを備えた連結部８からなる洗浄部２と、上端に上面が開口した中空部分７ｆを形成して、前記中空の下部側面に孔７ｄを穿設した持ち手本体７からなる持ち手部３とからなり、前記連結部８を持ち手本体７の開口部分に挿入して制御突起８ｃを孔７ｄに陥入させて洗浄部２と持ち手部３を着脱可能とした。
【００７５】
前記洗浄部材８ｄはスポンジ状をしており、溝を設けていないが、これは限定したものではなく、実施例１から実施例１２で示したように洗浄部材８ｄに溝を設けたものでも構わない。
【００７６】
また、洗浄部材８ｄの上下に取り付けたブラシ８ｅの長さについては、洗浄部材８ｄよりも長くすることが好ましいが、特に限定したものではなく、洗浄部材８ｄと同等の長さでも構わない。
【００７７】
尚、持ち手本体７の下端にハンガー部７ｅを形成し、壁等に取り付けたフック等に掛けることができるようにした。
【実施例１３】
【００７８】
図２５は本考案である洗浄用具の第１３実施例を示した正面図である。
【００７９】
図２５に示すように、本考案である洗浄用具１ｌは、洗浄用具１ｊとほぼ同じ構造をしている。
【００８０】
即ち、本考案である洗浄用具１ｌは、両面に洗浄部材６ｅを取り付けた洗浄部軸６ｄと、前記洗浄部軸６ｄの下端に取り付けられ、中央部に蛇腹部６ｂを形成して下部にネジ受け部６ａを設けた連結部６からなる洗浄部２と、上端にネジ山７ａを形成し、ネジ山７ａとネジ受け部６ａと螺合することで連結部６と着脱可能とした持ち手本体７からなる持ち手部３とからなる。
【００８１】
前記洗浄部材６ｅには、持ち手の長手方向と直行する方向の側面に一面凹んだ凹部６ｆが形成されており、一方の洗浄部材６ｅでは下部寄りに凹部６ｆを備え、他方の洗浄部材６ｅでは上部寄りに凹部６ｆを備えた。但し、凹部６ｆの位置については限定したものではない。
【００８２】
前記蛇腹部６ｂの内部は中空の空洞部６ｃであり、この蛇腹部６ｂを変形させて洗浄部軸６ｄの角度を変えることができる。
【００８３】
尚、持ち手本体７の下端にはハンガー部７ｂを取り付けて、壁等に取り付けたフック等に掛けることができるようにした。
【実施例１４】
【００８４】
図２６は本考案である洗浄用具の第１４実施例を示した正面図である。
【００８５】
図２６に示すように、本考案である洗浄用具１ｍは、洗浄用具１ｊ、１ｌとほぼ同じ構造をしている。
【００８６】
即ち、本考案である洗浄用具１ｍは、両面に洗浄部材６ｅ及びブラシ６ｇを取り付けた洗浄部軸６ｄと、前記洗浄部軸６ｄの下端に取り付けられ、中央部に蛇腹部６ｂを形成して下部にネジ受け部６ａを設けた連結部６からなる洗浄部２と、上端にネジ山７ａを形成し、ネジ山７ａとネジ受け部６ａと螺合することで連結部６と着脱可能とした持ち手本体７からなる持ち手部３とからなる。
【００８７】
図２６に示すように、前記洗浄部材６ｅとブラシ６ｇの位置関係については、一方の洗浄部材６ｅの背面に他方のブラシ６ｇが位置し、一方のブラシ６ｇの背面に他方の洗浄部材６ｅが位置するようにした。
【００８８】
また、図上では、洗浄部材６ｅの表面を平面としたが、これに限定したものではなく、実施例１から１２に示したように、洗浄部材６ｅに凹部を形成しても構わない。
【００８９】
前記蛇腹部６ｂの内部は中空の空洞部６ｃであり、この蛇腹部６ｂを変形させて洗浄部軸６ｄの角度を変えることができる。
【００９０】
尚、持ち手本体７の下端にはハンガー部７ｂを取り付けて、壁等に取り付けたフック等に掛けることができるようにした。
【実施例１５】
【００９１】
図２７は本考案である洗浄用具の第１５実施例を示した正面図である。
【００９２】
図２７に示すように、本考案である洗浄用具１ｎは、上下に凹部６ｆを形成した洗浄部材６ｅを片面に取り付けた洗浄部軸６ｄと、前記洗浄部軸６ｄの下端に取り付けられ、中央部に蛇腹部６ｂを形成して下部にネジ受け部６ａを設けた連結部６からなる洗浄部２と、上端にネジ山７ａを形成し、ネジ山７ａとネジ受け部６ａと螺合することで連結部６と着脱可能とした持ち手本体７からなる持ち手部３とからなる。
【００９３】
前記蛇腹部６ｂの内部は中空の空洞部６ｃであり、この蛇腹部６ｂを変形させて洗浄部軸６ｄの角度を変えることができる。
【００９４】
尚、持ち手本体７の下端にはハンガー部７ｂを取り付けて、壁等に取り付けたフック等に掛けることができるようにした。
【実施例１６】
【００９５】
図２８は本考案である洗浄用具の第１６実施例を示した正面図である。
【００９６】
図２８に示すように、本考案である洗浄用具１ｏは、上下に凹部６ｆを形成した洗浄部材６ｅを両面に取り付けた洗浄部材６ｄと、前記洗浄部軸６ｄの下端に取り付けられ、中央部に蛇腹部６ｂを形成して下部にネジ受け部６ａを設けた連結部６からなる洗浄部２と、上端にネジ山７ａを形成し、ネジ山７ａとネジ受け部６ａと螺合することで連結部６と着脱可能とした持ち手本体７からなる持ち手部３とからなる。
【００９７】
前記蛇腹部６ｂの内部は中空の空洞部６ｃであり、この蛇腹部６ｂを変形させて洗浄部軸６ｄの角度を変えることができる。
【００９８】
尚、持ち手本体７の下端にはハンガー部７ｂを取り付けて、壁等に取り付けたフック等に掛けることができるようにした。
【実施例１７】
【００９９】
図２９は本考案である洗浄用具を示した正面図である。
【０１００】
図２９（１）（２）に示すように、本考案である洗浄用具９、９ａは、上面中央付近に凹部４ａを形成した洗浄部材４と、前記洗浄部材４の底面に貼り付けた洗浄シート４ｄとからなる。
【０１０１】
前記洗浄シート４ｄは、洗浄部材４よりも一回り大きく、洗浄シート４ｄの洗浄部材４からはみ出た部分の前記洗浄部材面が端部に向かって徐々に傾斜して先端部が薄くなっている。また、洗浄シート４ｄは、洗浄部材４よりも硬質である。
【０１０２】
洗浄用具９では、前記凹部４ａを略台形状とし、洗浄用具９ａでは、前記凹部４ａの角を直角とした。また、洗浄用具９、９ａでは洗浄シート４ｄのはみ出し部分を一方向とした。
【０１０３】
図２９（３）に示すように、本考案である洗浄用具９ｂは、上面及び底面の中央付近に凹部４ａを形成した洗浄部材４からなる。
【０１０４】
洗浄用具９ｂでは、底面に洗浄シート４ｄを取り付けずに、上面と同じように凹部４ａを設けた。この凹部４ａは略台形状としても、直角としてもよい。
【０１０５】
図２９（４）に示すように、本考案である洗浄用具９ｃは、上面に中央付近にＶ字溝４ｅを形成した洗浄部材４と、前記洗浄部材４の底面に貼り付けた洗浄シート４ｄとからなる。
【０１０６】
前記洗浄シート４ｄは、洗浄部材４よりも一回り大きく、洗浄シート４ｄの洗浄部材４からはみ出た部分の前記洗浄部材面が端部に向かって徐々に傾斜して先端部が薄くなっている。また、洗浄シート４ｄは、洗浄部材４よりも硬質である。
【０１０７】
洗浄用具９ｃでは、洗浄シート４ｄのはみ出し部分を左右の二方向とした。但し、これは限定したものではなく、前後左右の四方向にはみ出し部分を設けても、前後左右のいずれか三方向にはみ出し部分を設けても構わない。
【０１０８】
また、洗浄部材４の上面に設けたＶ字溝４ｅに代えて、略台形状や直角状の凹部４ａを設けてもよく、これら以外の半円形状などとしてもよい。
【産業上の利用可能性】
【０１０９】
本考案であるスリーブ洗浄用具は、劣化しやすい洗浄部のみを交換することができるため、充分に使用できる持ち手部まで一緒に廃棄する必要がなく、資源を有効活用することことができ、環境問題において有効である。
【符号の説明】
【０１１０】
１〜１ｏ  洗浄用具
２    洗浄部
３    持ち手部
４    洗浄部材
４ａ  凹部
４ｂ  凹部
４ｃ  ブラシ
４ｄ  洗浄シート
４ｅ  Ｖ字溝
５    持ち手本体
５ａ  蛇腹部
５ｂ  蛇腹部
５ｃ  空洞部
５ｄ  空洞部
５ｅ  連結軸
５ｆ  拡張部
５ｇ  拡張部
５ｈ  窪み
５ｉ  格納部
５ｊ  ストッパ
５ｋ  スプリング
５ｌ  伸縮部
５ｍ  屈曲部
５ｎ  軸
５ｏ  固定部
５ｐ  ハンガー部
５ｑ  突起
５ｒ  ストッパ
５ｓ  孔
５ｔ  窪み
５ｕ  突起
５ｖ  ハンガー部
６    連結部
６ａ  ネジ受け部
６ｂ  蛇腹部
６ｃ  空洞部
６ｄ  洗浄部軸
６ｅ  洗浄部材
６ｆ  凹部
６ｇ  ブラシ
７    持ち手本体
７ａ  ネジ山
７ｂ  ハンガー部
７ｃ  孔
７ｄ  孔
７ｅ  ハンガー部
７ｆ  中空
７ｇ  上端連結部
８    連結部
８ａ  蛇腹部
８ｂ  洗浄部軸
８ｃ  制御突起
８ｄ  洗浄部材
８ｅ  ブラシ
９    洗浄用具
９ａ  洗浄用具
９ｂ  洗浄用具
９ｃ  洗浄用具
【図１】
0003155153.tif 000003
【図２】
0003155153.tif 000004
【図３】
0003155153.tif 000005
【図４】
0003155153.tif 000006
【図５】
0003155153.tif 000007
【図６】
0003155153.tif 000008
【図７】
0003155153.tif 000009
【図８】
0003155153.tif 000010
【図９】
0003155153.tif 000011
【図１０】
0003155153.tif 000012
【図１１】
0003155153.tif 000013
【図１２】
0003155153.tif 000014
【図１３】
0003155153.tif 000015
【図１４】
0003155153.tif 000016
【図１５】
0003155153.tif 000017
【図１６】
0003155153.tif 000018
【図１７】
0003155153.tif 000019
【図１８】
0003155153.tif 000020
【図１９】
0003155153.tif 000021
【図２０】
0003155153.tif 000022
【図２１】
0003155153.tif 000023
【図２２】
0003155153.tif 000024
【図２３】
0003155153.tif 000025
【図２４】
0003155153.tif 000026
【図２５】
0003155153.tif 000027
【図２６】
0003155153.tif 000028
【図２７】
0003155153.tif 000029
【図２８】
0003155153.tif 000030
【図２９】
0003155153.tif 000031
【手続補正書】
【提出日】平成21年7月17日(2009.7.17)
【手続補正１】
【補正対象書類名】実用新案登録請求の範囲
【補正対象項目名】全文
【補正方法】変更
【補正の内容】
【実用新案登録請求の範囲】
【請求項１】
スポンジ状の洗浄部材と、前記洗浄部材内部に一端が固定された弾性体状の連結軸と、前記連結軸の他端を内部に固定した持ち手部とからなることを特徴とする洗浄用具。
【請求項２】
前記洗浄部材を、前記持ち手の長手方向と直交する方向の側面に一面窪んだ凹部を形成した洗浄部材としたことを特徴とする請求項１に記載の洗浄用具。
【請求項３】
前記洗浄部材を、前記持ち手の長手方向に位置する上面にブラシを備えた洗浄部材、前記凹部の背面に位置する面にブラシを備えた洗浄部材、前記持ち手の長手方向に位置する前記洗浄部の上部に上ブラシ、前記洗浄部を挟み下ブラシを備えた洗浄部材、前記持ち手の長手方向に位置する前記洗浄部の上部にブラシを備えた洗浄部材と下部にブラシを備えた洗浄部材の凹部を形成しない背面同士を合わせて前記洗浄部材の背面に他のブラシが位置するように形成した洗浄部材、及び同径同大の洗浄部材を背面に備えた洗浄部材、のいずれかから選ばれる洗浄部としたことを特徴とする請求項２に記載の洗浄用具。
【請求項４】
前記持ち手の長手方向に位置する前記洗浄材の上部に前記洗浄部材から突出する長さの上ブラシ、前記洗浄部材を挟み前記洗浄部材から突出する長さの下ブラシを備えた洗浄部材としたことを特徴とする請求項２に記載の洗浄用具。
【請求項５】
前記持ち手部を、持ち手本体と、前記持ち手本体と前記洗浄部との間に内部空洞の蛇腹部を設けた持ち手部としたことを特徴とする請求項１〜請求項４の何れか１項に記載の洗浄用具。
【請求項６】
前記持ち手本体に間を設けて、第２の内部空洞の蛇腹部を設けたことを特徴とする請求項５に記載の洗浄用具。
【請求項７】
前記持ち手部を、下端に軸を介して回動可能に屈曲部を連結して折り畳み式の持ち手部としたことを特徴とする請求項１〜請求項４のいずれか１項に記載の洗浄用具。
【請求項８】
前記持ち部に突起を設け、前記屈曲部の下端にハンガー部を他端に鈎状の固定部を設け、前記屈曲部が伸長時には前記固定部が前記突起に係止され、前記屈曲部が折り畳まれた時には前記屈曲部の隙間に持ち手本体の一部が収納され、前記持ち手部の長さが調整されることを特徴とする請求項７に記載の洗浄用具。
【請求項９】
前記持ち手部を、持ち手本体と前記持ち手本体を内部に収納する格納部からなる持ち手部とし、前記持ち手本体と格納部をスライド式に伸縮することを特徴とする請求項１〜請求項４のいずれか１項に記載の洗浄用具。
【請求項１０】
前記持ち手本体表面部にスプリングにより上下動するストッパを１以上埋め込み、前記格納部に孔を以上設け、前記格納部のスライドにより、前記ストッパが前記孔に突出して、格納部を固定し、前記持ち手部の長さが調整されることを特徴とする請求項９に記載の洗浄用具。
【請求項１１】
前記持ち手本体表面部に窪みを１以上設け、前記格納部内面に突起を１以上設け、前記格納部のスライドにより、前記突起が前記窪みに嵌り、格納部を固定し、前記持ち手部の長さが調整されることを特徴とする請求項９に記載の洗浄用具。
【請求項１２】
前記洗浄部の持ち手部側に、下端にネジ受け部を形成し、内部空洞の蛇腹部を有する連結部を連設するとともに、前記持ち手部の上端にネジ山を形成し、前記ネジ受け部に前記ネジ山を螺合させて洗浄部と持ち手部を着脱可能とした請求項１〜請求項４のいずれか１項に記載の洗浄用具。
【請求項１３】
前記洗浄部を、蛇腹部を形成し下部に制御突起を設けた連結部を下部に連設した洗浄部材からなる洗浄部とし、前記持ち手部を、上端に上面が開口した中空部分を形成して、前記中空部分の下部側面に孔を穿設した持ち手本体からなる持ち手部とし、前記連結部を持ち手本体の開口部分に挿入して制御突起を孔に陥入させて洗浄部と持ち手部を着脱可能とした請求項１〜請求項４のいずれか１項にに記載の洗浄用具。
【請求項１４】
前記凹部を、断面略四角形、略Ｖ字形又は略台形の凹部としたことを特徴とする請求項１〜請求項１３のいずれか１項に記載の洗浄用具。
【手続補正書】
【提出日】平成21年9月8日(2009.9.8)
【手続補正１】
【補正対象書類名】実用新案登録請求の範囲
【補正対象項目名】全文
【補正方法】変更
【補正の内容】
【実用新案登録請求の範囲】
【請求項１】
スポンジ状の洗浄部材と、前記洗浄部材内部に一端が固定された弾性体状の連結軸と、前記連結軸の他端を内部に固定した持ち手部とからなることを特徴とする洗浄用具。
【請求項２】
前記洗浄部材を、前記持ち手の長手方向と直交する方向の側面に一面窪んだ凹部を形成した洗浄部材としたことを特徴とする請求項１に記載の洗浄用具。
【請求項３】
前記洗浄部材を、前記持ち手の長手方向に位置する上面にブラシを備えた洗浄部材、前記凹部の背面に位置する面にブラシを備えた洗浄部材、前記持ち手の長手方向に位置する前記洗浄部の上部に上ブラシ、前記洗浄部を挟み下ブラシを備えた洗浄部材、前記持ち手の長手方向に位置する前記洗浄部の上部にブラシを備えた洗浄部材と下部にブラシを備えた洗浄部材の凹部を形成しない背面同士を合わせて前記洗浄部材の背面に他のブラシが位置するように形成した洗浄部材、及び同径同大の洗浄部材を背面に備えた洗浄部材、のいずれかから選ばれる洗浄部としたことを特徴とする請求項２に記載の洗浄用具。
【請求項４】
前記持ち手の長手方向に位置する前記洗浄材の上部に前記洗浄部材から突出する長さの上ブラシ、前記洗浄部材を挟み前記洗浄部材から突出する長さの下ブラシを備えた洗浄部材としたことを特徴とする請求項２に記載の洗浄用具。
【請求項５】
前記持ち手部を、持ち手本体と、前記持ち手本体と前記洗浄部との間に内部空洞の蛇腹部を設けた持ち手部としたことを特徴とする請求項１〜請求項４の何れか１項に記載の洗浄用具。
【請求項６】
前記持ち手本体に間を設けて、第２の内部空洞の蛇腹部を設けたことを特徴とする請求項５に記載の洗浄用具。
【請求項７】
前記持ち手部を、下端に軸を介して回動可能に屈曲部を連結して折り畳み式の持ち手部としたことを特徴とする請求項１〜請求項４のいずれか１項に記載の洗浄用具。
【請求項８】
前記持ち部に突起を設け、前記屈曲部の下端にハンガー部を他端に鈎状の固定部を設け、前記屈曲部が伸長時には前記固定部が前記突起に係止され、前記屈曲部が折り畳まれた時には前記屈曲部の隙間に持ち手本体の一部が収納され、前記持ち手部の長さが調整されることを特徴とする請求項７に記載の洗浄用具。
【請求項９】
前記持ち手部を、持ち手本体と前記持ち手本体を内部に収納する格納部からなる持ち手部とし、前記持ち手本体と格納部をスライド式に伸縮することを特徴とする請求項１〜請求項４のいずれか１項に記載の洗浄用具。
【請求項１０】
前記持ち手本体表面部にスプリングにより上下動するストッパを１以上埋め込み、前記格納部に孔を以上設け、前記格納部のスライドにより、前記ストッパが前記孔に突出して、格納部を固定し、前記持ち手部の長さが調整されることを特徴とする請求項９に記載の洗浄用具。
【請求項１１】
前記持ち手本体表面部に窪みを１以上設け、前記格納部内面に突起を１以上設け、前記格納部のスライドにより、前記突起が前記窪みに嵌り、格納部を固定し、前記持ち手部の長さが調整されることを特徴とする請求項９に記載の洗浄用具。
【請求項１２】
前記洗浄部の持ち手部側に、下端にネジ受け部を形成し、内部空洞の蛇腹部を有する連結部を連設するとともに、前記持ち手部の上端にネジ山を形成し、前記ネジ受け部に前記ネジ山を螺合させて洗浄部と持ち手部を着脱可能とした請求項１〜請求項４のいずれか１項に記載の洗浄用具。
【請求項１３】
前記洗浄部を、蛇腹部を形成し下部に制御突起を設けた連結部を下部に連設した洗浄部材からなる洗浄部とし、前記持ち手部を、上端に上面が開口した中空部分を形成して、前記中空部分の下部側面に孔を穿設した持ち手本体からなる持ち手部とし、前記連結部を持ち手本体の開口部分に挿入して制御突起を孔に陥入させて洗浄部と持ち手部を着脱可能とした請求項１〜請求項４のいずれか１項にに記載の洗浄用具。
【請求項１４】
前記凹部を、断面略四角形、略Ｖ字形又は略台形の凹部としたことを特徴とする請求項２〜請求項４のいずれか１項に記載の洗浄用具。